(57)【要約】【課題】ろ過装置および補給水装置が遠隔して配置されても、一方の装置から他方の装置のリモートコントローラに対して情報を伝送できるろ過システムの構成を提供する。【解決手段】補給水装置２００に入力された水位センサ５５からのセンサ信号は、通信線３２０を経由する、電源電圧Ｖ２を用いた電力線通信によって、ろ過装置１００の通信部１３０へ伝送される。信号伝送回路１６０は、通信部１３０に伝送されたセンサ信号を、電源の絶縁を確保して、コントローラ１２０へ入力する。コントローラ１２０は、入力されたセンサ信号を、通信線３１０ａによる電力線通信によって、ろ過リモコン１１０へ伝送する。【選択図】図２
2018176046.tif 000002
【特許請求の範囲】
【請求項１】
浴槽に浴槽水を供給するための補給水装置と、前記浴槽内の浴槽水をろ過循環するためのろ過装置とを備えるろ過システムであって、
前記補給水装置および前記ろ過装置のうちの一方の装置に対応して設けられたリモートコントローラと、
前記一方の装置および前記リモートコントローラの間を接続する第１の通信線と、
前記補給水装置および前記ろ過装置のうちの他方の装置と前記一方の装置の間を接続する第２の通信線とを備え、
前記補給水装置および前記ろ過装置の各々は、
コントローラと、
前記コントローラに対して電源電圧を供給するための内部電源部と、
前記第２の通信線と接続されて、前記補給水装置および前記ろ過装置の間で信号を送受信するための通信部とを含み、
前記リモートコントローラは、前記第１の通信線を経由して、前記一方の装置の前記コントローラとの間で前記信号を授受するとともに前記一方の装置の前記内部電源部から前記電源電圧を供給され、
前記一方の装置の前記通信部および前記他方の装置の前記通信部のうちのいずれか１つは、前記第２の通信線を経由して、前記他方の装置または前記一方の装置の前記内部電源部から前記電源電圧を供給され、
前記第２の通信線を経由して前記電源電圧の供給を受ける前記通信部を含む、前記一方の装置または前記他方の装置は、当該通信部および前記コントローラの間で、電気的な絶縁を確保して前記信号を伝送するための信号伝送部をさらに含む、ろ過システム。
【請求項２】
前記一方の装置の前記コントローラは、前記リモートコントローラからの遠隔操作信号を前記第１の通信線を経由して受信するとともに、受信した前記遠隔操作信号を前記第２の通信線および前記信号伝送部を経由して前記他方の装置の前記コントローラへ送信し、
前記他方の装置の前記コントローラは、前記一方の装置の前記コントローラから受信した前記遠隔操作信号に従って前記他方の装置の動作を制御する、請求項１記載のろ過システム。
【請求項３】
前記補給水装置の前記コントローラは、前記浴槽に設けられた浴槽水の水位センサからの検出信号を入力されるとともに、当該検出信号に基づいて前記浴槽水の水位を維持するように前記補給水装置を制御し、
前記検出信号は、さらに、前記補給水装置の前記コントローラから、前記補給水装置の前記通信部、前記補給水装置または前記ろ過装置に配置された前記信号伝送部、前記第２の通信線、および、前記ろ過装置の前記通信部を経由して、前記ろ過装置の前記コントローラへ伝送され、
前記ろ過装置の前記コントローラは、伝送された前記検出信号に基づいて、前記ろ過循環の運転開始および運転停止を制御する、請求項１記載のろ過システム。
【請求項４】
前記ろ過装置は、前記一方の装置であり、
前記リモートコントローラは、前記ろ過装置による前記ろ過循環の運転開始指令を入力するための操作部を有し、
前記ろ過装置の前記コントローラは、前記第１の通信線を経由して前記リモートコントローラから伝送された前記運転開始指令に応じて、前記ろ過循環を開始するとともに、前記補給水装置による前記浴槽水の水位制御の開始指令を生成し、
前記開始指令は、前記ろ過装置の前記コントローラから、前記ろ過装置の前記通信部、前記ろ過装置または前記補給水装置に配置された前記信号伝送部、前記第２の通信線、および、前記補給水装置の前記通信部を経由して、前記補給水装置の前記コントローラへ伝送され、
前記補給水装置の前記コントローラは、伝送された前記開始指令に応じて、前記浴槽に設けられた前記浴槽水の水位センサの検出信号を用いて、前記水位制御を開始する、請求項１記載のろ過システム。
【請求項５】
前記ろ過システムの外部に配置された遠隔管理装置との間で通信回線を経由して通信するための中継装置をさらに備え、
前記中継装置は、前記第１の通信線と接続されて、前記第１の通信線を経由して受信した前記信号を前記遠隔管理装置に対して送信し、
前記遠隔管理装置に送信される前記信号は、前記第２の通信線および前記信号伝送部を経由して前記他方の装置の前記コントローラから前記一方の装置の前記コントローラへ送信され、かつ、前記一方の装置の前記コントローラから前記第１の通信線に出力された信号を含む、請求項１から４のいずれか１項に記載のろ過システム。
【発明の詳細な説明】
【技術分野】
【０００１】
この発明はろ過システムに関し、より特定的には、ろ過装置および補給水装置を備えるろ過システムに関する。
【背景技術】
【０００２】
ろ過装置および補給水装置を備えるろ過システムの構成が、特開２０１０−１７９２９４号公報（特許文献１）、特開２００５−１３７６３０号公報（特許文献２）、および、特許第２６６５５７１号公報（特許文献３）等に記載されている。
【０００３】
特許文献１には、ろ過装置の使用状態等の管理データを、ろ過装置毎に設けられたモニタ装置で監視する構成、および、複数のろ過装置からの送信データを、通信回線を経由して遠隔地の表示装置で確認するための構成が記載されている。
【０００４】
特許文献２には、複数の浴槽を共通のろ過装置と接続する一方で、浴槽毎に水位センサおよび補給水装置を備えたシステム構成とすることで設置スペースを縮小するとともに、各補給水装置が水位センサからの検知信号に応じて対応の浴槽に水を供給する制御によって、各浴槽の水位を維持することが記載されている。
【０００５】
特許文献３には、温水ボイラーによる昇温機能を有するろ過装置と、補給水装置とを備えた構成において、浴槽の水位センサおよびろ過装置による循環水の温度センサと接続された制御盤によって、水位および温度を設定値に維持する自動運転が記載されている。
【先行技術文献】
【特許文献】
【０００６】
【特許文献１】特開２０１０−１７９２９４号公報
【特許文献２】特開２００５−１３７６３０号公報
【特許文献３】特許第２６６５５７１号公報
【発明の概要】
【発明が解決しようとする課題】
【０００７】
特許文献１では、ろ過装置および補給水装置から共通の制御盤に集められたデータをモニタ装置に出力、あるいは、通信回線を通じて遠隔地に送信する構成が記載されている。すなわち、ろ過システム内で、ろ過装置および補給水装置の間でデータを授受することは想定されていない。特許文献３でも、ろ過装置および補給水装置は、共通の制御盤に接続されている。また、特許文献２では、補給水装置およびろ過装置の間で情報やデータを授受することについては特に言及されていない。
【０００８】
ろ過装置および補給水装置を備えるろ過システムの実施態様として、ろ過装置および補給水装置が遠隔して設置される構成（たとえば、１００［ｍ］以上）が想定される。このような構成では、ろ過装置および補給水装置の両装置のそれぞれに対して別個の操作端（リモートコントローラ）が配置されることが一般的であるが、かかる構成下でシステム内での情報の共有を図るためには、一方の装置のリモートコントローラに対して、他方の装置からの情報を伝送する必要がある。
【０００９】
しかしながら、両装置が離れて配置される構成では、信号の減衰の発生により、単純な信号線の接続によって情報（たとえば、センサの出力電圧）を伝送することが困難である。また、電源電圧を安定化するために両装置のそれぞれに内部電源が設けられると、重畳二心線等の電力線通信において、通信と電源間での絶縁確保との両立に考慮する必要が生じる。
【００１０】
この発明はこのような問題点を解決するためになされたものであって、この発明の目的は、ろ過装置および補給水装置が遠隔して配置されても、一方の装置から他方の装置のリモートコントローラに対して情報を伝送できるろ過システムの構成を提供することである。
【課題を解決するための手段】
【００１１】
本発明のある局面では、ろ過システムは、浴槽に浴槽水を供給するための補給水装置と、浴槽内の浴槽水をろ過循環するためのろ過装置とを備える。ろ過システムは、補給水装置およびろ過装置のうちの一方の装置に対応して設けられたリモートコントローラと、第１および第２の通信線とを備える。第１の通信線は、一方の装置およびリモートコントローラの間を接続する。第２の通信線は、補給水装置およびろ過装置のうちの他方の装置と一方の装置の間を接続する。補給水装置およびろ過装置の各々は、コントローラと、内部電源部と、通信部とを含む。内部電源部は、コントローラに対して電源電圧を供給する。通信部は、第２の通信線と接続されて、補給水装置およびろ過装置の間で信号を送受信するように構成される。リモートコントローラは、第１の通信線を経由して、一方の装置のコントローラとの間で信号を授受するとともに一方の装置の内部電源部から電源電圧を供給される。一方の装置の通信部および他方の装置の通信部のいずれか１つは、第２の通信線を経由して、他方の装置または一方の装置の内部電源部から電源電圧を供給される。第２の通信線を経由して電源電圧の供給を受ける通信部を含む、一方の装置または他方の装置は、当該通信部および前記コントローラの間で、電気的な絶縁を確保して前記信号を伝送するための信号伝送部をさらに含む。
【００１２】
上記ろ過システムによれば、他方の装置の内部電源部からの電源電圧を用いた第２の通信線による電力線通信、および、信号伝送部を用いることによって、一方の装置および他方の装置の間で電気的な絶縁を確保した上で、一方の装置のコントローラによって中継する態様で、一方の装置のリモートコントローラと他方の装置との間で信号を伝送することができる。この結果、補給水装置およびろ過装置が離れて配置される構成としても、両装置の電源間での絶縁を確保した上で、信号伝送のための通信を効率的な構成で実現することができる。
【００１３】
さらに好ましくは、一方の装置のコントローラは、リモートコントローラからの遠隔操作信号を第１の通信線を経由して受信するとともに、受信した遠隔操作信号を第２の通信線および信号伝送部を経由して他方の装置のコントローラへ送信する。他方の装置のコントローラは、一方の装置のコントローラから受信した遠隔操作信号に従って他方の装置の動作を制御する。
【００１４】
このように構成すると、一方の装置のリモートコントローラからのユーザ指示に基づく遠隔制御信号に従って、遠隔配置された他方の装置を動作させることができる。
【００１５】
また好ましくは、補給水装置のコントローラは、浴槽に設けられた浴槽水の水位センサからの検出信号を入力されるとともに、当該検出信号に基づいて浴槽水の水位を維持するように補給水装置を制御する。検出信号は、さらに、補給水装置のコントローラから、補給水装置の通信部、補給水装置またはろ過装置に配置された信号伝送部、第２の通信線、および、ろ過装置の通信部を経由して、ろ過装置のコントローラへ伝送される。ろ過装置のコントローラは、伝送された検出信号に基づいて、ろ過循環の運転開始および運転停止を制御する。
【００１６】
このように構成すると、ろ過装置および補給水装置が遠隔配置された場合にも、浴槽の水位センサの検出信号を補給水装置からろ過装置へ伝送することにより、ろ過装置によるろ過循環の運転開始および運転停止を浴槽水位に従って制御することができる。この結果、ろ過循環運転を適性水位時に限定して実行することができる。
【００１７】
あるいは好ましくは、ろ過装置は、一方の装置であり、リモートコントローラは、ろ過装置によるろ過循環の運転開始指令を入力するための操作部を有する。ろ過装置のコントローラは、第１の通信線を経由してリモートコントローラから伝送された運転開始指令に応じて、ろ過循環を開始するとともに、補給水装置による浴槽水の水位制御の開始指令を生成する。開始指令は、ろ過装置のコントローラから、ろ過装置の通信部、ろ過装置または補給水装置に配置された信号伝送部、第２の通信線、および、補給水装置の通信部を経由して、補給水装置のコントローラへ伝送される。補給水装置のコントローラは、伝送された開始指令に応じて、浴槽に設けられた浴槽水の水位センサの検出信号を用いて、水位制御を開始する。
【００１８】
このように構成すると、ろ過装置および補給水装置が遠隔配置された場合にも、ろ過装置と接続されたリモートコントローラに対するろ過循環運転の開始と連動させて、補給水装置による浴槽水の水位制御を開始することができる。
【００１９】
また好ましくは、ろ過システムは、中継装置をさらに備える。中継装置は、ろ過システムの外部に配置された遠隔管理装置との間で通信回線を経由して通信するように構成される。中継装置は、第１の通信線と接続されて、第１の通信線を経由して受信した信号を遠隔管理装置に対して送信する。遠隔管理装置に送信される信号は、第２の通信線および信号伝送部を経由して他方の装置のコントローラから一方の装置のコントローラへ送信され、かつ、一方の装置のコントローラから第１の通信線に出力された信号を含む。
【００２０】
このように構成すると、一方の装置と共通に第１の通信線に接続された中継装置を経由して、他方の装置に関する信号を遠隔管理装置に伝送することができるので、遠隔配置された補給水装置およびろ過装置の両方を共通の遠隔管理装置で監視するための構成を効率的に構築することができる。
【発明の効果】
【００２１】
本発明によれば、ろ過システムに含まれるろ過装置および補給水装置が遠隔して配置されても、一方の装置から他方の装置のリモートコントローラに対して情報を伝送することができる。
【図面の簡単な説明】
【００２２】
【図１】本発明の実施の形態に従うろ過システムが適用される浴場システムの構成を説明する概略図である。
【図２】実施の形態１に従うろ過システムの構成例を説明する概略ブロック図である。
【図３】図２に示された信号伝送回路の構成例を説明するブロック図である。
【図４】実施の形態１に従うろ過システムの他の構成例を説明する概略ブロック図である。
【図５】実施の形態２に従うろ過システムの構成を説明する概略的なブロック図である。
【図６】実施の形態３に従うろ過システムのうちの補給水装置に係る構成部分を記載したブロック図である。
【発明を実施するための形態】
【００２３】
［実施の形態１］
以下に、本発明の実施の形態について図面を参照して詳細に説明する。なお以下では、図中の同一および相当部分には同一符号を付して、その説明は原則的に繰返さないものとする。
【００２４】
図１は、本実施の形態に従うろ過システムが適用される浴場システムの構成を説明する概略図である。
【００２５】
図１を参照して、浴場システム５は、浴槽５０と、浴槽水をろ過循環するためのろ過装置１００と、浴槽５０への補給水装置２００と、薬液注入ユニット３００と、熱源設備４００とを備える。
【００２６】
補給水装置２００は、入水管２０３，２０４と接続される。入水管２３０には、水道等から供給圧によって低温水が供給される。入水管２０４には、図示しない給湯装置等から供給圧により高温水が供給される。補給水装置２００は、入水管２０３からの低温水および、入水管２０４からの高温水を受けて、給水管２０５から浴槽５０へ浴槽水を供給する。低温水および高温水の混合比率（０〜１００（％））を調整することにより、浴槽５０への出力温度が制御できる。たとえば、低温水経路および高温水経路と接続された混合弁（図示せず）の開度を、補給水装置２００のマイクロコンピュータ（図示せず）で制御することによって、混合比率を制御することができる。
【００２７】
さらに、補給水装置２００は、浴槽水の水位を制御する機能を有する。具体的には、浴槽５０に設けられた水位センサ５５からの検出信号に応じて、浴槽水の供給を制御することによって、水位制御が実現できる。水位センサ５５は、たとえば、水位に応じた水圧を検出するための圧力センサによって構成することができる。
【００２８】
浴槽５０には、ろ過装置１００との間で浴槽水のろ過循環経路を形成するために、出水口５１ａ，５１ｂおよび入水口５２がさらに設けられる。浴槽５０の出水口５１ａ，５１ｂは、ろ過装置１００の入水端１０１と接続される。同様に、浴槽５０の入水口５２は、ろ過装置１００の出水端１０２と接続される。なお、浴槽５０の出水口５１ａ，５１ｂは、ユーザの操作によって開閉可能な開閉弁５６を経由して、排水経路とも接続されている。開閉弁５６は、通常時（排水時以外）には閉止される。ろ過装置１００の運転時には、開閉弁５６が閉状態に維持されることにより、浴槽５０およびろ過装置１００の間に浴槽水の循環経路を形成することができる。
【００２９】
ろ過装置１００は、浴槽５０と接続された入水端１０１および出水端１０２に加えて、熱源設備４００と接続された入力端１０３および出力端１０４と、薬液注入ユニット３００と接続された薬液入力端１０５と、排水端１０７とをさらに有する。
【００３０】
熱源設備４００は、浴槽水を昇温（加熱）するための温熱源（たとえば、給湯機や蒸気発生機器）によって構成される。入力端１０３には、熱源設備４００から伝熱媒体が入力される。伝熱媒体は、ろ過装置１００の内部の通流後、出力端１０４から熱源設備４００へ戻される。これにより、ろ過装置１００および熱源設備４００の間に、伝熱媒体の循環経路を形成することができる。
【００３１】
薬液注入ユニット３００は、殺菌作用を有する薬液を供給するための薬液ポンプ３０５を有する。たとえば、薬液は、所定値以上の塩素濃度を有する。薬液ポンプ３０５から供給された薬液は、薬液入力端１０５から、ろ過装置１００へ入力される。
【００３２】
ろ過装置１００は、図示しない循環ポンプおよびろ過タンクを内蔵する。循環ポンプの作動により、入水端１０１から吸入された浴槽水が、ろ過タンクを通過して出水端１０２から浴槽５０へ戻される浴槽水循環経路（図示せず）が、ろ過装置１００の内部に形成される。これにより、ろ過装置１００は、浴槽水のろ過循環運転を実行することができる。ろ過循環運転による浴槽水循環経路には、熱源設備４００からの伝熱媒体との間で熱交換するための熱交換器（図示せず）が配置される。これにより、ろ過装置１００は、追焚機能をさらに有することができる。
【００３３】
さらに、浴槽水循環経路において、薬液ポンプ３０５の作動に応じて薬液を循環浴槽水へ混入するための注入口を設けることによって、浴槽水の薬液濃度（塩素濃度）を一定値以上に維持する制御が可能となる。
【００３４】
このように、浴場システム５では、ろ過装置１００および補給水装置２００を含むろ過システム１０によって、浴槽５０における浴槽水の水位および清浄性を維持管理することが可能である。
【００３５】
図２は、実施の形態１に従うろ過システムの構成例を説明する概略ブロック図である。
図２を参照して、実施の形態１に従うろ過システム１０は、図１に示したろ過装置１００および補給水装置２００と、ろ過装置１００のリモートコントローラ１１０（以下、単に「ろ過リモコン１１０」とも称する）と、補給水装置２００のリモートコントローラ２１０（以下、単に「補給水リモコン２１０」とも称する）とを含む。本実施の形態に従うろ過システム１０は、ろ過装置１００および補給水装置２００が相互に長距離（たとえば、１００［ｍ］以上）を隔てて配置される場合に、両装置間で情報を授受するための構成を有するものである。
【００３６】
ろ過リモコン１１０には、ユーザが運転指示を入力するための操作部１１１と、ユーザに対して情報を視覚的に表示するための表示部１１２とが設けられる。ろ過リモコン１１０は、通信線３１０ａによって、ろ過装置１００と接続される。たとえば、操作部１１１には、ろ過装置１００によるろ過循環運転の運転開始指令を入力することができる。
【００３７】
操作部１１１は、たとえば、プッシュボタンによって構成することができる。表示部１１２は、たとえば、液晶ディスプレイによって構成することができる。なお、表示部１１２をタッチパネルで構成する場合には、当該タッチパネルの一部を用いて操作部１１１を構成することも可能である。
【００３８】
ろ過装置１００は、コントローラ１２０と、通信部１３０，１５０と、内部電源回路１４０と、信号伝送回路１６０とを有する。ろ過装置１００は、通信線３２０によって補給水装置２００と接続される。
【００３９】
内部電源回路１４０は、商用電源に代表される外部電源４１０とコンセント等を経由して接続されて、外部電源からの電力（たとえば１００ＶＡＣ）を、コントローラ１２０等の各種機器が動作するための電源電圧Ｖ１（たとえば、ＤＣ１５Ｖ，５Ｖ等）に変換する。
【００４０】
コントローラ１２０は、内部電源回路１４０からの電源電圧Ｖ１を受けて動作する。コントローラ１２０は、ユーザ指示に従って、ろ過装置１００（図１）が動作するように、ろ過装置１００の各構成機器の動作を制御する。通信部１５０は、通信線３１０ａを経由して、ろ過リモコン１１０との間で双方向に通信を実行する。通信部１３０は、通信線３２０を経由して、補給水装置２００（通信部２３０）との間で双方向に通信して、データを送受信する。
【００４１】
補給水装置２００は、コントローラ２２０と、内部電源回路２４０と、通信部２３０，２５０とを有する。補給水装置２００は、通信線３１０ｂによって補給水リモコン２１０と接続される。補給水リモコン２１０は、操作部２１１および表示部２１２を有する。操作部２１１および表示部２１２は、操作部１１１および表示部１１２と同様に構成することができる。
【００４２】
内部電源回路２４０は、商用電源に代表される外部電源４２０とコンセント等を経由して接続されて、外部電源からの電力（たとえば１００ＶＡＣ）を、コントローラ２２０等の各種機器が動作するための電源電圧Ｖ２（たとえば、ＤＣ１５Ｖ，５Ｖ等）に変換する。電源電圧Ｖ１およびＶ２は、同レベルの直流電圧である。
【００４３】
コントローラ２２０は、内部電源回路２４０からの電源電圧Ｖ２を受けて動作する。コントローラ２２０は、ユーザ指示に従って補給水装置２００（図１）が動作するように、補給水装置２００の各構成機器の動作を制御する。
【００４４】
通信部２５０は、通信線３１０ｂを経由して、補給水リモコン２１０との間で双方向に通信を実行する。通信部２３０は、通信線３２０を経由して、ろ過装置１００の通信部１３０との間で双方向に通信する。通信部２３０および２５０は、内部電源回路２４０からの電源電圧Ｖ２によって動作する。
【００４５】
通信線３１０ａ，３１０ｂ，３２０は、たとえば、重畳二心線によって構成される。すなわち、通信部１３０，１５０，２３０，２５０は、電力線通信（代表的には、重畳二心線通信）のための通信モジュールによって構成することができる。したがって、ろ過リモコン１１０は、通信線３１０ａを経由して、内部電源回路１４０から供給された電源電圧Ｖ１によって動作することができる。同様に、補給水リモコン２１０は、通信線３１０ｂを経由して、内部電源回路２４０から供給された電源電圧Ｖ２によって動作することができる。
【００４６】
ろ過装置１００において、通信部１３０は、通信線３２０を経由して、通信部２３０から内部電源回路２４０による電源電圧Ｖ２の供給を受けて動作する。ろ過装置１００および補給水装置２００が遠隔配置されるため、両装置の電源電圧のグラウンドを共通とすると、断線検出等の複雑化を招くことが懸念される。したがって、実施の形態１に従うろ過システムでは、ろ過装置１００および補給水装置２００の間で、グラウンド間を電気的に分離して絶縁を確保する。すなわち、電源電圧Ｖ１およびＶ２は、同レベルを有するが、グラウンドは分離されている。
【００４７】
信号伝送回路１６０は、コントローラ１２０および通信部１３０の間で、電気的な絶縁を確保した上で信号を伝送する。信号伝送回路１６０は、少なくとも通信部１３０からコントローラ１２０へデータを送信する信号伝送機能を有する。以下では、好ましい構成として、信号伝送回路１６０は、コントローラ１２０から通信部１３０へデータを送信するデータ伝送機能をさらに具備して、双方向の通信機能を有するように構成されるものとする。
【００４８】
図３は、信号伝送回路１６０の構成例を説明するブロック図である。
図３を参照して、信号伝送回路１６０は、フォトトランジスタＰＴａおよびフォトダイオードＰＤａを内蔵するフォトカプラ１７０ａと、駆動回路１８２および受信回路１９１とを含む。
【００４９】
駆動回路１８２は、電源電圧Ｖ２によって動作して、通信部１３０からの信号（たとえばパルス信号）に応じて、フォトダイオードＰＤａに通電する。フォトダイオードＰＤａは、駆動回路１８２による通電期間に発光する。フォトトランジスタＰＴａは、フォトダイオードＰＤａの発光期間において導通（オン）する一方で、非発光期間では非導通（オフ）とされる。受信回路１９１は、電源電圧Ｖ１によって動作して、フォトトランジスタＰＴａのオン期間およびオフ期間で異なる電圧を出力するように構成される。
【００５０】
コントローラ１２０へ入力される、受信回路１９１の出力電圧は、通信部１３０から駆動回路１８２へ入力される信号の電圧レベルに従って変化する。したがって、通信部１３０からコントローラ１２０へ、電気的な絶縁を確保した上で、データ信号を伝送することが可能となる。
【００５１】
さらに、信号伝送回路１６０は、コントローラ１２０から通信部１３０へ向けてデータを伝送するための、フォトカプラ１７０ｂと、駆動回路１８１および受信回路１９２とを含む。フォトカプラ１７０ｂは、フォトトランジスタＰＴｂおよびフォトダイオードＰＤｂを内蔵する。
【００５２】
駆動回路１８１は、電源電圧Ｖ１によって動作して、コントローラ１２０からの信号（たとえばパルス信号）に応じて、フォトダイオードＰＤｂに通電する。フォトダイオードＰＤｂは、駆動回路１８１による通電期間に発光する。フォトトランジスタＰＴｂは、フォトダイオードＰＤｂの発光期間において導通（オン）する一方で、非発光期間では非導通（オフ）とされる。受信回路１９２は、電源電圧Ｖ２によって動作して、フォトトランジスタＰＴｂのオン期間およびオフ期間で異なる電圧を出力するように構成される。
【００５３】
通信部１３０へ入力される、受信回路１９２の出力電圧は、コントローラ１２０から駆動回路１８１へ入力される信号の電圧レベルに従って変化する。したがって、コントローラ１２０から通信部１３０への送信についても、電気的な絶縁を確保した上で、データ信号を伝送することが可能となる。
【００５４】
なお、図３では、光結合方式のアイソレータ（フォトカプラ）によって信号絶縁を確保する構成例を説明したが、他の方式によるアイソレータ、たとえば、磁気結合方式のアイソレータを用いた信号絶縁によって信号伝送回路１６０を構成することも可能である。
【００５５】
再び、図２を参照して、通信部２５０は、さらに通信線３３０をさらに経由して、水位センサ５５と接続される。通信線３３０についても重畳二心線によって構成することができる。これにより、水位センサ５５の動作電源を内部電源回路２４０から供給することが可能となるとともに、水位センサ５５の出力信号（センサ信号）を、通信部２５０から補給水装置２００へ入力することができる。これにより、コントローラ２２０は、水位センサ５５の出力信号（検出信号）を用いて水位制御を実行するように、補給水装置２００の動作を制御することができる。
【００５６】
本実施の形態では、補給水装置２００に入力されたセンサ信号は、ろ過装置１００のコントローラ１２０によって中継されて、ろ過リモコン１１０へ送信される。コントローラ２２０は、通信部２５０から受信したセンサ信号を、通信部２３０を用いて、通信線３２０を経由してろ過装置１００へ送信する。
【００５７】
このように、センサ信号は、通信線３２０による電力線通信によって、通信部２３０から通信部１３０へ伝送される。通信部１３０は、受信したセンサ信号を信号伝送回路１６０へ出力する。これにより、センサ信号は、補給水装置２００との間で電気的な絶縁を確保した上で、ろ過装置１００のコントローラ１２０へ入力される。
【００５８】
コントローラ１２０は、入力されたセンサ信号を、通信部１５０を用いて、通信線３１０ａを経由してろ過リモコン１１０へ送信する。これにより、ろ過リモコン１１０は、水位センサ５５の出力信号（センサ信号）を受信して、表示部１１２に表示することができる。また、ろ過装置１００が、水位センサ５５の検出信号に基づいて動作することも可能となる。たとえば、ろ過装置１００は、検出信号に基づいて、浴槽水の水位が基準水位以下である場合には、ろ過循環運転が指示されていても循環ポンプ（図示せず）を停止して、ろ過循環運転を一時的に停止することができる。そして、一時的な停止状態から、浴槽水の水位が基準水位よりも高くなると、ろ過循環運転を再開することができる。
【００５９】
反対に、ろ過リモコン１１０に入力されたユーザ指示は、図２中に点線で示されるように、通信線３１０ａおよび通信部１５０を経由して、コントローラ１２０に入力され、さらに、コントローラ１２０から、信号伝送回路１６０、通信部１３０、通信線３２０および、通信部２３０を経由して、コントローラ２２０へ伝送することができる。
【００６０】
これにより、コントローラ２２０は、ろ過リモコン１１０に入力されたユーザ指示に従って、補給水装置２００を動作させることができる。あるいは、当該ユーザ指示は、通信部２５０および通信線３１０ｂを経由して、補給水リモコン２１０へさらに伝送することができる。これにより、補給水リモコン２１０において、ろ過リモコン１１０に入力されたユーザ指示や情報を、表示部２１２に表示することも可能である。
【００６１】
たとえば、コントローラ１２０は、ろ過リモコン１１０の操作部１１１に入力された運転開始指令に応じて、ろ過装置１００によるろ過循環運転を開始するとともに、補給水装置２００における水位制御の開始指令信号を生成することができる。そして、当該開始指令信号を、コントローラ１２０から、信号伝送回路１６０、通信部１３０、通信線３２０および、通信部２３０を経由して、コントローラ２２０へ伝送することができる。これにより、補給水装置２００による水位制御を、ろ過リモコン１１０への入力をトリガとして開始することができる。
【００６２】
図２の構成例において、ろ過装置１００は「一方の装置」に対応し、補給水装置２００は「他方の装置」に対応する。また、通信線３１０ａは「第１の通信線」に対応し、通信線３２０は「第２の通信線」と対応する。さらに、ろ過リモコン１１０は「リモートコントローラ」に対応し、入力されたユーザ指示を示す信号は「遠隔制御信号」に対応する。さらに、信号伝送回路１６０は「信号伝送部」の一実施例に対応し、内部電源回路１４０，２４０は「内部電源部」の一実施例に対応する。
【００６３】
また、水位センサ以外のセンサの出力信号、または、補給水装置２００の内部動作に関する信号についても、補給水装置２００に関する信号として、ろ過リモコン１１０へ伝送することが可能である。さらに、補給水リモコン２１０および水位センサ５５は、通信部２３０にさらに接続することも可能である。この場合には、通信部２５０の配置を省略することができる。
【００６４】
このように、実施の形態１に従うろ過システム１０によれば、ろ過装置１００および補給水装置２００が遠隔配置されるため各装置に内部電源回路が配置される構成において、電源間の絶縁を確保した上で、重畳二心線等の電力線通信によって、一方の装置（ろ過装置１００）のリモコン（ろ過リモコン１１０）に対して、他方の装置（たとえば、補給水装置２００）に入力された信号を含む、他方の装置に関する信号を、一方の装置のコントローラ（コントローラ１２０）で中継して伝送することができる。これにより、一方の装置のリモコンにおいて、他方の装置に関する情報を表示することができる。
【００６５】
また反対に、一方の装置のリモコン（ろ過リモコン１１０）に入力されたユーザ指示や情報を、電力線通信によって他方の装置（補給水装置２００）へ伝送することができる。これにより、一方の装置のリモコンへの入力に応じて、他方の装置を動作させることができる。
【００６６】
なお、図４に示すように、信号伝送回路１６０は、補給水装置２００に配置することも可能である。図４の構成例では、補給水装置２００の通信部２３０は、通信線３２０を経由して、通信部１３０から内部電源回路１４０による電源電圧Ｖ１の供給を受けて動作する。すなわち、信号伝送回路１６０は、「他方の装置」に配置されている。この場合には、信号伝送回路１６０は、コントローラ２２０および通信部２３０の間で、電気的な絶縁を確保した上で信号を伝送する機能を有するように構成される。
【００６７】
すなわち、実施の形態１に従う構成では、ろ過装置１００の通信部１３０（図２）、または、補給水装置２００の通信部２３０（図４）は、通信線３２０を経由する電力線通信によって電源電圧の供給を受ける。そして、ろ過装置１００または補給水装置２００に、信号伝送回路１６０が配置される。より詳細には、信号伝送回路１６０は、電力線通信によって通信線３２０を介して電源電圧の供給を受ける、通信部１３０または２３０に対応して配置される。
【００６８】
さらに、図２および図４の構成例の各々では、ろ過装置１００と、補給水装置２００のリモコン（補給水リモコン２１０）との間で、図２および図４での説明とは反対の流れで信号を伝送する変形例とすることも可能である。すなわち、ろ過装置１００からの信号を、通信部１３０および通信部２３０を用いた通信線３２０による電力線通信によってコントローラ２２０へ伝送し、コントローラ２２０によって中継する態様で、通信線３１０ｂを経由して補給水リモコン２１０に伝送することができる。この場合も、ろ過装置１００または補給水装置２００に配置された信号伝送回路１６０によって、電力線通信によって通信線３２０を介して電源電圧の供給を受ける通信部１３０または２３０と、異なる内部電源回路からの電源供給によって動作するコントローラ１２０または２２０との間で、電気的な絶縁を確保した上で信号を伝送することができる。
【００６９】
この変形例によれば、ろ過装置１００に入力されたセンサ信号を含む、ろ過装置１００に関する信号を補給水リモコン２１０に伝送する構成とすることが可能である。たとえば、図２の構成において、水位センサ５５が補給水装置２００ではなくろ過装置１００に接続される場合には、ろ過装置１００に入力された水位センサ５５からのセンサ信号を、補給水装置２００のコントローラ２２０によって中継して、補給水リモコン２１０に伝送することができる。
【００７０】
かかる変形例では、反対に、補給水リモコン２１０に入力されたユーザ指示や情報を、コントローラ２２０によって中継する態様で、信号伝送回路１６０および通信部２５０，２３０，１３０を用いて、通信線３１０ｂおよび３２０を経由してコントローラ１２０へ伝送することができる。これにより、補給水リモコン２１０に入力されたユーザ指示に基づいて、ろ過装置１００を作動させることも可能である。また、この変形例では、ろ過リモコン１１０および水位センサ５５を通信部１３０に接続することで、通信部１５０の配置を省略することができる。
【００７１】
上記変形例の構成では、補給水装置２００は「一方の装置」に対応し、ろ過装置１００は「他方の装置」に対応する。また、通信線３１０ｂは「第１の通信線」に対応し、通信線３２０は「第２の通信線」と対応する。さらに、補給水リモコン２１０が「リモートコントローラ」に対応する。この場合には、信号伝送回路１６０は、補給水装置２００またはろ過装置１００に配置されて、コントローラ２２０および通信部２３０の間、または、コントローラ１２０および通信部１３０の間で電気的な絶縁を確保した上で、重畳二心通信等の電力線通信によるデータ伝送を実行する。
【００７２】
［実施の形態２］
図５は、実施の形態２に従うろ過システム１１の構成を説明する概略的なブロック図である。
【００７３】
図５を参照して、実施の形態２に従うろ過システム１１は、実施の形態１に従うろ過装置１００（図２）の構成と比較して、中継装置５００をさらに備える点で異なる。ろ過システム１１のその他部分の構成は、図２に示したろ過システム１０と同様であるので詳細な説明は繰返さない。
【００７４】
中継装置５００は、通信線３１０ａと接続されて、通信部１５０から送信されたデータ信号を受信する。中継装置５００は、さらに、インターネット等の広域通信網５１０を経由して、遠隔管理装置５５０と接続される。中継装置５００は、通信部１５０から伝送されたデータ信号を、遠隔管理装置５５０へ送信する。
【００７５】
したがって、ろ過装置１００に入力されたデータ信号、および、補給水装置２００に入力された後に通信線３２０を経由してろ過装置１００に伝送されたデータ信号について、中継装置５００へ伝送することができる。中継装置５００は、受信したこれらのデータ信号を、広域通信網５１０を経由して遠隔管理装置５５０へ送信する。これにより、遠隔管理装置５５０によって、ろ過装置１００に関するデータ信号に加えて、補給水装置２００に関するデータ信号についても受信することができる。
【００７６】
この結果、実施の形態２に従う構成によれば、遠隔配置されたろ過装置１００および補給水装置２００の両方に関するデータ信号を共通の中継装置５００を用いて、遠隔管理装置５５０へ送信することができる。これにより、遠隔管理装置５５０によって、遠隔配置されたろ過装置１００および補給水装置２００の両方の動作を監視するための構成を効率的に構築することができる。
【００７７】
なお、図５の構成において、実施の形態１で説明した変形例のように、ろ過装置１００に入力された信号を、コントローラ２２０によって中継する態様で、通信線３１０ｂを経由して補給水リモコン２１０に伝送する構成とした場合には、中継装置５００を通信線３１０ｂに接続するように配置することができる。この変形例では、中継装置５００は、通信線３１０ｂを経由して補給水装置２００と接続されて、ろ過装置１００から補給水装置２００へ伝送されたデータ信号を、遠隔管理装置５５０へ送信することができる。すなわち、実施の形態２に従うろ過システム１１についても、ろ過装置１００および補給水装置２００のいずれをも「一方の装置」とすることが可能である。
【００７８】
また、図５の構成例において、図４の他の例と同様に信号伝送回路１６０を補給水装置２００に配置することも可能である。さらに、図２および図４に関連して説明した変形例および構成のアレンジは、図５においても同様に適用可能である。
【００７９】
［実施の形態３］
実施の形態３では、補給水装置２００が複数個配置された構成について説明する。
【００８０】
図６は、実施の形態３に従うろ過システムのうちの補給水装置に係る構成部分を記載したブロック図である。実施の形態３に従うろ過システムの補給水装置以外の部分の構成は、図２、図４、または図５と同様であるので詳細な説明は繰返さない。
【００８１】
図６を参照して、実施の形態３に従うろ過システムは、複数個の補給水装置２００および補給水装置２０１をさらに含む。補給水装置２０１は、補給水装置２００と共通の浴槽５０に対して浴槽水を供給する。たとえば、公衆浴場等の給水量が多い用途において、複数の補給水装置が並列に配置される。
【００８２】
複数の補給水装置２００，２０１のうち、補給水装置２００がメイン装置として作動する。補給水装置２０１は、サブ装置として、補給水装置２００からの指令に従って動作する。補給水装置２００のコントローラ２２０は、ろ過リモコン１１０または補給水リモコン２１０へ入力されたユーザ指示に従った給水が複数の補給水装置２００，２０１の全体で実行されるように、補給水装置２０１への制御指示を生成する。
【００８３】
たとえば、補給水装置２００および２０１の両方で浴槽５０への給水を開始する一方で、水位センサ５５の出力信号に基づいて、浴槽水位が目標水位に近付くと補給水装置２０１を停止するように、補給水装置２００，２０１の動作を制御することができる。
【００８４】
補給水装置２０１は、コントローラ２２１と、通信部２３１と、内部電源回路２４１とを含む。補給水装置２０１は、通信線３３０によって補給水装置２００と接続される。たとえば、通信線３３０は、６芯ケーブルによって構成することができる。
【００８５】
内部電源回路２４１は、外部電源４２１とコンセント等を経由して接続されて、外部電源からの電力（たとえば１００ＶＡＣ）を、コントローラ２２１等の各種機器が動作するための電源電圧Ｖ２（たとえば、ＤＣ１５Ｖ，５Ｖ等）に変換する。
【００８６】
通信部２３１は、通信線３３０を経由して、通信部２３０と双方向で通信を実行する。これにより、コントローラ２２０からの制御指示を、コントローラ２２１に伝送することができる。コントローラ２２１は、内部電源回路２４１からの電源電圧Ｖ２を受けて動作して、当該制御指示に従って補給水装置２０１が動作するように、補給水装置２０１の各構成機器の動作を制御する。これにより、ろ過リモコン１１０等に入力されたユーザ指示に従った浴槽５０への給水動作が行われるように、補給水装置２０１は動作することができる。
【００８７】
コントローラ２２１は、補給水装置２０１に関するデータ信号を、コントローラ２２１からコントローラ２２０へ伝送することも可能である。これにより、コントローラ２２０に収集された補給水装置２０１に関するデータ信号についても、補給水装置２００で中継して、ろ過リモコン１１０および／または中継装置５００に対してデータ信号を伝送することができる。
【００８８】
このように実施の形態３に従うろ過システムによれば、ろ過装置１００および複数個の補給水装置２００，２０１が配置された構成においても、ろ過リモコン１１０において、補給水装置２０１に関する情報をさらに表示できるとともに、ろ過リモコン１１０への入力に従って補給水装置２０１を動作させることができる。
【００８９】
また、遠隔管理装置５５０では、ろ過装置１００および補給水装置２００に加えて、補給水装置２０１の動作についても監視することができる。すなわち、複数個の補給水装置が配置された構成においても、そのうちの１個の補給水装置（図６における補給水装置２００）について、ろ過装置１００を経由してろ過リモコン１１０との間でデータ信号を伝送できる構成とすることにより、各補給水装置について、実施の形態１および２と同様に動作させることができる。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９１】
５  浴場システム、１０，１１  ろ過システム、５０  浴槽、５１ａ，５１ｂ  出水口、５２  入水口、５５  水位センサ、５６  開閉弁、１００  ろ過装置、１０１  入水端、１０２  出水端、１０３  入力端、１０４  出力端、１０５  薬液入力端、１０７  排水端、１１０  リモートコントローラ（ろ過リモコン）、１１１，２１１  操作部、１１２，２１２  表示部、１２０，２２０，２２１  コントローラ、１３０，１５０，２３０，２３１，２５０  通信部、１４０，２４０，２４１  内部電源回路、１６０  信号伝送回路、１７０ａ，１７０ｂ  フォトカプラ、１８１，１８２  駆動回路、１９１，１９２  受信回路、２００，２０１  補給水装置、２０３，２０４  入水管、２０５  給水管、２１０  補給水リモコン、３００  薬液注入ユニット、３０５  薬液ポンプ、３１０，３１０ａ，３１０ｂ，３２０，３３０  通信線、４００  熱源設備、４１０，４２０，４２１  外部電源、５００  中継装置、５１０  広域通信網、５５０  遠隔管理装置、ＰＤａ，ＰＤｂ  フォトダイオード、ＰＴａ，ＰＴｂ  フォトトランジスタ、Ｖ１，Ｖ２  電源電圧。
【図１】
2018176046.tif 000003
【図２】
2018176046.tif 000004
【図３】
2018176046.tif 000005
【図４】
2018176046.tif 000006
【図５】
2018176046.tif 000007
【図６】
2018176046.tif 000008